(57)【特許請求の範囲】
【請求項１】
物品を収納する収納ユニットと、
物品を収納し、収納された物品を管理する管理部を有する管理収納ユニットと、
前記収納ユニットおよび前記管理収納ユニットにそれぞれ設けられた施解錠部と、
前記施解錠部に対して施解錠を指示する指示部および前記管理部から前記物品の管理情報を取得する情報取得部を有する制御ユニットと
を備え、
前記制御ユニットは、
所定の情報を表示する表示部と、
前記情報取得部によって取得された物品の管理情報を前記表示部に対して表示させる表示制御部と
を備え、
前記表示制御部は、
解錠する収納ユニットまたは管理収納ユニットを選択する操作選択画面を前記表示部に表示するよう制御し、物品の取り出し操作時に前記操作選択画面で前記管理収納ユニットが選択された場合には、前記管理収納ユニット内の取り出し可能な物品の位置を示す位置案内画面を前記表示部に表示するように制御する
ことを特徴とする物品保管装置。
【請求項２】
前記管理収納ユニットは、前記制御ユニットに隣接する位置に配置されることを特徴とする請求項１に記載の物品保管装置。
【請求項３】
前記管理収納ユニットは、
収納された複数の物品を個別に施解錠する個別施解錠部を前記管理部として備え、
前記管理情報は、
前記個別施解錠部ごとの施解錠情報を含んでおり、
前記指示部は、
前記情報取得部によって取得された前記管理情報に基づき、前記複数の物品のうちの所定の物品を解錠すべき旨を前記個別施解錠部に対して指示することを特徴とする請求項１または２に記載の物品保管装置。
【請求項４】
前記制御ユニットは、
前記収納ユニットまたは前記収納ユニットに収納される物品と、前記個別施解錠部とを対応付けて記憶する記憶部
をさらに備え、
前記表示制御部は、
前記指示部によって前記収納ユニットの解錠が指示された場合に、当該収納ユニットまたは当該収納ユニットに収納される物品と対応付けられた前記個別施解錠部に関する情報を前記表示部に表示させることを特徴とする請求項３に記載の物品保管装置。
【請求項５】
前記指示部は、
前記施解錠部に対して収納ユニットの解錠を指示した場合に、当該収納ユニットまたは当該収納ユニットに収納される物品と対応付けられた前記個別施解錠部に対して、当該個別施解錠部によって施錠されている物品を解錠すべき旨を指示することを特徴とする請求項４に記載の物品保管装置。
【請求項６】
前記管理収納ユニットは、
収納した物品を計数する計数部を前記管理部として備え、
前記情報取得部は、
前記計数部による物品の計数結果を前記管理情報として取得することを特徴とする請求項１〜５のいずれか一つに記載の物品保管装置。
【発明の詳細な説明】
【技術分野】
【０００１】
この発明は、物品を保管する物品保管装置に関し、特に、単に物品を保管するだけでなく保管する物品の性質に応じた物品管理を行うことができる物品保管装置に関する。
【背景技術】
【０００２】
従来から、オフィス等に設置され、複数の従業員によって共用される書類や電子機器等（以下、「物品」と記載する）を保管する物品保管装置が知られている。たとえば、特許文献１には、施解錠可能な収納部に物品を収納する複数の収納ユニットと、各収納部の施解錠を制御する制御ユニットとが連結された物品保管装置が知られている。
【０００３】
具体的には、特許文献１の物品保管装置では、制御ユニットが、ＩＣカード等によって利用者の個人認証を行い、利用者を認証したならば、利用者によって指定された収納ユニットに対して収納部の解錠を指示する。そして、収納ユニットが制御ユニットからの指示に従って収納部を解錠することによって、利用者は、この収納ユニットに収納された物品を持ち出すことが可能となる。
【先行技術文献】
【特許文献】
【０００４】
【特許文献１】特開２００６−３１６５２５号公報
【発明の概要】
【発明が解決しようとする課題】
【０００５】
しかしながら、特許文献１の技術には、物品の保管管理に対する様々な要望に応えることができないという問題があった。これは、収納ユニットが、物品を保管する機能しか有していないためである。
【０００６】
たとえば、銀行等の金融機関においては、複数の鍵の持ち出しや返却を個別に管理したいという要望や、通帳の在庫数を管理したいといった要望がある。しかしながら、特許文献１の技術では、収納ユニットが、複数の物品を個別に管理する機能や収納されている物品を計数する機能を有していないため、これらの要望に応えることができなかった。
【０００７】
なお、複数の鍵の持ち出しや返却を個別に管理する鍵管理装置や計数機能を備えた通帳管理装置を物品保管装置と別個に設置することも考えられるが、装置ごとに操作方法を覚える必要があり煩雑である。
【０００８】
また、これらの装置が離れた場所に設置されている場合には、作業の効率性を低下させるおそれもある。たとえば、物品保管装置に保管されている現金をＡＴＭ（Automated Teller Machine）に補充する場合、利用者は、物品保管装置から現金を取り出した後、ＡＴＭの鍵を取り出すために鍵管理装置の設置場所まで移動しなければならないため、作業に手間取るおそれがある。
【０００９】
これらのことから、単に物品を保管するだけでなく保管する物品の性質に応じた物品管理を行うことができる物品保管装置をいかにして実現するかが大きな課題となっている。
【００１０】
本発明は、上述した従来技術による問題点を解消するためになされたものであって、単に物品を保管するだけでなく保管する物品の性質に応じた物品管理を行うことができる物品保管装置を提供することを目的とする。
【課題を解決するための手段】
【００１１】
上述した課題を解決し、目的を達成するため、本発明は、物品を収納する収納ユニットと、物品を収納し、収納された物品を管理する管理部を有する管理収納ユニットと、前記収納ユニットおよび前記管理収納ユニットにそれぞれ設けられた施解錠部と、前記施解錠部に対して施解錠を指示する指示部および前記管理部から前記物品の管理情報を取得する情報取得部を有する制御ユニットとを備え、前記制御ユニットは、所定の情報を表示する表示部と、前記情報取得部によって取得された物品の管理情報を前記表示部に対して表示させる表示制御部とを備え、前記表示制御部は、解錠する収納ユニットまたは管理収納ユニットを選択する操作選択画面を前記表示部に表示するよう制御し、物品の取り出し操作時に前記操作選択画面で前記管理収納ユニットが選択された場合には、前記管理収納ユニット内の取り出し可能な物品の位置を示す位置案内画面を前記表示部に表示するように制御することを特徴とする。
【００１２】
また、本発明は、上記の発明において、前記管理収納ユニットは、前記制御ユニットに隣接する位置に配置されることを特徴とする。
【００１３】
また、本発明は、上記の発明において、前記管理収納ユニットは、収納された複数の物品を個別に施解錠する個別施解錠部を前記管理部として備え、前記管理情報は、前記個別施解錠部ごとの施解錠情報を含んでおり、前記指示部は、前記情報取得部によって取得された前記管理情報に基づき、前記複数の物品のうちの所定の物品を解錠すべき旨を前記個別施解錠部に対して指示することを特徴とする。 
【００１４】
また、本発明は、上記の発明において、前記制御ユニットは、前記収納ユニットまたは前記収納ユニットに収納される物品と、前記個別施解錠部とを対応付けて記憶する記憶部をさらに備え、前記表示制御部は、前記指示部によって前記収納ユニットの解錠が指示された場合に、当該収納ユニットまたは当該収納ユニットに収納される物品と対応付けられた前記個別施解錠部に関する情報を前記表示部に表示させることを特徴とする。 
【００１５】
また、本発明は、上記の発明において、前記指示部は、前記施解錠部に対して収納ユニットの解錠を指示した場合に、当該収納ユニットまたは当該収納ユニットに収納される物品と対応付けられた前記個別施解錠部に対して、当該個別施解錠部によって施錠されている物品を解錠すべき旨を指示することを特徴とする。
【００１６】
また、本発明は、上記の発明において、前記管理収納ユニットは、収納した物品を計数する計数部を前記管理部として備え、前記情報取得部は、前記計数部による物品の計数結果を前記管理情報として取得することを特徴とする。
【発明の効果】
【００１７】
本発明によれば、物品を収納する収納ユニットと、物品を収納し、収納された物品を管理する管理部を有する管理収納ユニットと、収納ユニットおよび管理収納ユニットにそれぞれ設けられた施解錠部と、施解錠部に対して施解錠を指示する指示部および管理部から物品の管理情報を取得する情報取得部を有する制御ユニットとを備え、制御ユニットは、所定の情報を表示する表示部と、情報取得部によって取得された物品の管理情報を表示部に対して表示させる表示制御部とを備え、表示制御部は、解錠する収納ユニットまたは管理収納ユニットを選択する操作選択画面を表示部に表示するよう制御し、物品の取り出し操作時に操作選択画面で管理収納ユニットが選択された場合には、管理収納ユニット内の取り出し可能な物品の位置を示す位置案内画面を表示部に表示制御することとしたので、単に物品を保管するだけでなく保管する物品の性質に応じた物品管理を行うことができるという効果を奏する。特に、利用者は、管理収納ユニットに収納されている物品の取り出し操作を表示部に表示された管理情報を目視しながら容易に行うことができるという効果を奏する。
【００１９】
また、本発明によれば、管理収納ユニットは、収納部に収納された複数の物品を個別に施解錠する個別施解錠部を前記管理部として備え、管理情報は、個別施解錠部ごとの施解錠情報を含んでおり、指示部は、情報取得部によって取得された管理情報に基づき、複数の物品のうちの所定の物品を解錠すべき旨を個別施解錠部に対して指示することとしたので、収納部に収納された複数の物品の持ち出しや返却を個別に管理することができるという効果を奏する。
【００２０】
また、本発明によれば、制御ユニットは、収納部または収納部に収納される物品と、個別施解錠部とを対応付けて記憶する記憶部をさらに備え、表示制御部は、指示部によって収納部の解錠が指示された場合に、当該収納部または当該収納部に収納される物品と対応付けられた個別施解錠部に関する情報を表示部に表示させることとしたので、たとえば、個別施解錠部によって施錠される物品が鍵である場合には、物品保管装置から取り出した物品を別の装置や部屋へ移動させるといった作業を効率的に行うことができ、鍵の取り忘れによる作業の遅延も防止することができるという効果を奏する。
【００２１】
また、本発明によれば、指示部は、施解錠部に対して収納部の解錠を指示した場合に、当該収納部または当該収納部に収納される物品と対応付けられた個別施解錠部に対して、当該個別施解錠部によって施錠されている物品を解錠すべき旨を指示することとしたので、たとえば、個別施解錠部によって施錠される物品が鍵である場合に、物品保管装置から取り出した物品を別の装置や部屋へ移動させるといった作業をより効率的に行うことができるという効果を奏する。
【００２２】
また、本発明によれば、管理収納ユニットは、収納した物品を計数する計数部を管理部として備え、情報取得部は、計数部による物品の計数結果を管理情報として取得することとしたので、収納部に収納されている物品の数を把握することができるという効果を奏する。
【図面の簡単な説明】
【００２３】
【図１】図１は、本実施形態に係る物品保管装置の外観図である。
【図２】図２は、鍵管理ユニットの外観図である。
【図３】図３は、本実施形態に係る物品保管装置の構成を示すブロック図である。
【図４】図４は、利用者管理情報の一例を示す図である。
【図５】図５は、物品管理情報の一例を示す図である。
【図６】図６は、本実施形態に係る鍵管理ユニットの構成を示すブロック図である。
【図７】図７は、扉施錠部の構成を示す図である。
【図８】図８は、モータ回転検知板およびセンサＢの構成を示す図である。
【図９】図９は、ソフトウェイト時間の算出方法を説明するための図である。
【図１０】図１０は、モータの停止タイミングを説明するためのタイミングチャートである。
【図１１】図１１は、本実施形態に係る通帳管理ユニットの構成を示すブロック図である。
【図１２】図１２は、通帳計数部の構成を示す図である。
【図１３】図１３は、物品保管装置が実行する処理手順を示すフローチャートである。
【図１４】図１４は、鍵取出処理の処理手順を示すフローチャートである。
【図１５】図１５は、鍵位置案内画面の一例を示す図である。
【図１６】図１６は、通帳出入処理の処理手順を示すフローチャートである。
【図１７】図１７は、通帳位置案内画面の一例を示す図である。
【図１８】図１８は、計数結果画面の一例を示す図である。
【発明を実施するための形態】
【００２４】
以下に添付図面を参照して、本発明に係る物品保管装置の一実施形態を詳細に説明する。なお、以下では、本発明に係る物品保管装置が銀行等の金融機関に設置される場合について説明することとする。
【００２５】
本実施形態に係る物品保管装置は、物品を収納するユニットを複数連結して構成されている。特に、本実施形態に係る物品保管装置は、物品を保管する機能のみを備える収納ユニットだけでなく、保管する物品の性質に応じた物品管理を行う機能を備える管理収納ユニットを組み込んだ点に主たる特徴がある。
【００２６】
図１は、本実施形態に係る物品保管装置の外観図である。同図に示すように、本実施形態に係る物品保管装置１は、操作制御ユニット１０と、鍵管理ユニット２１と、通帳管理ユニット２２と、一般ユニット２３，２４とを備えている。
【００２７】
一般ユニット２３，２４は、物品を収納する収納部と、収納部を施解錠する施解錠部とを有する収納ユニットである。具体的には、一般ユニット２３は、ファイルや束通帳等の物品を保管する重要物管理ユニットであり、４つの収納部Ｂ３〜Ｂ６と、各収納部Ｂ３〜Ｂ６を施解錠する４つの施解錠部とを備える。また、一般ユニット２４は、融資書類等の特に重要な物品を保管する耐火ユニットであり、３つの収納部Ｂ７〜Ｂ９と、各収納部Ｂ７〜Ｂ９を施解錠する３つの施解錠部とを備える。
【００２８】
一方、鍵管理ユニット２１および通帳管理ユニット２２は、物品を収納する収納部および収納部を施解錠する施解錠部に加えて、収納部に収納された物品を管理する管理部を備える管理収納ユニットである。
【００２９】
鍵管理ユニット２１は、複数の鍵の持ち出しや返却を個別に管理する管理収納ユニットである。具体的には、鍵管理ユニット２１は、２つの収納部Ｂ１，Ｂ２のうち収納部Ｂ２内に複数の鍵を保管する。ここで、鍵管理ユニット２１の具体的な構成について説明しておく。図２は、鍵管理ユニット２１の外観図である。
【００３０】
同図に示すように、鍵管理ユニット２１の収納部Ｂ２は、扉体２１５と、扉体２１５を施解錠する扉施錠部２１２と、収納部Ｂ２内部に設けられた鍵ホルダ部２１３とを有している。
【００３１】
扉体２１５は、収納部Ｂ２を閉塞する部材である。ここで、扉体２１５は、鍵管理ユニット２１の前面に対して約９０度となるまで開放させた後、鍵管理ユニット２１の奥方向へとスライドさせることによって、収納部Ｂ２と鍵ホルダ部２１３との間に形成された収納スペース内に収納可能となっている。これにより、たとえば、営業時間中に扉体２１５を常時開放させておくような運用を行う場合であっても、開放状態の扉体２１５が邪魔になることがない。
【００３２】
扉施錠部２１２は、扉体２１５をロックするロック板をモータを用いて上下させることによって、扉体２１５の施解錠を行う。ここで、鍵管理ユニット２１は、モータのオーバーランによって扉体２１５の施解錠に異常が生じることを防止するために、オーバーランを考慮したモータの停止タイミングを予め学習しておくこととしている。かかる点については、後述する。
【００３３】
鍵ホルダ部２１３は、複数の鍵を個別に施解錠する個別施解錠部である。具体的には、鍵ホルダ部２１３は、複数の鍵ホルダＡ１〜Ａ３０を備えている。各鍵ホルダは、鍵ホルダ部２１３に挿入されており、鍵ホルダ部２１３によって抜き出し不能に施錠される。鍵ホルダ部２１３は、操作制御ユニット１０からの指示に従って、鍵ホルダを個別に施錠または解錠する。
【００３４】
なお、各鍵ホルダの上部には、各鍵ホルダの状態を利用者に報知するためのランプＲが設けられている。具体的には、ランプＲは、鍵ホルダ部２１３に挿入された鍵ホルダが施錠されている場合には消灯され、鍵ホルダ部２１３に挿入された鍵ホルダが解錠されている場合には緑色に昭光され、鍵ホルダ部２１３から鍵ホルダが抜き出されている場合には赤色に昭光されるようになっている。また、鍵ホルダ部２１３は、非常時用ダイヤルロック２１６を備えている。この非常時用ダイヤルロック２１６は、故障時や停電時等に鍵ホルダを手動で解錠する場合に用いられる。
【００３５】
図１の説明に戻り、通帳管理ユニット２２について説明する。通帳管理ユニット２２は、収納されているバラ通帳（以下、単に「通帳」と記載する）を計数する通帳計数部を備えた管理収納ユニットである。具体的には、通帳管理ユニット２２は、３つの収納部Ｂ１０〜Ｂ１２を有しており、収納部Ｂ１０，Ｂ１１内に複数の通帳を保管している。
【００３６】
ここで、収納部Ｂ１０，Ｂ１１は、さらに、４つの個別収納部に区分けされており、各個別収納部に異なる種類の通帳を収納することができる。また、通帳計数部は、各個別収納部に収納された通帳を個別に計数する。
【００３７】
操作制御ユニット１０は、収納ユニットおよび管理収納ユニットの施解錠等を制御する制御ユニットである。利用者は、物品保管装置１から物品を持ち出す場合には、この操作制御ユニット１０に設けられたタッチパネルＬＣＤ１０２を操作して、目的の物品が保管されているユニットを解錠する。
【００３８】
ここで、物品保管装置１は、利用者が鍵管理ユニット２１から鍵を持ち出す操作を行う場合、複数の鍵ホルダのうち利用者が解除権限を有する鍵ホルダの位置を示した鍵位置案内画面をタッチパネルＬＣＤ１０２に対して表示する。また、物品保管装置１は、利用者が通帳管理ユニット２２から通帳を持ち出す操作を行う場合、通帳管理ユニット２２の収納部Ｂ１０内に形成された４つの個別収納部のうち利用者が取り出そうとしている通帳が収納されている個別収納部の位置を示した通帳位置案内画面をタッチパネルＬＣＤ１０２に対して表示する。
【００３９】
このように、タッチパネルＬＣＤ１０２に鍵位置案内画面や通帳位置案内画面を表示することによって、利用者は、目的とする鍵や通帳が鍵管理ユニット２１や通帳管理ユニット２２のどの位置に収納されているかを容易に把握することができる。
【００４０】
しかも、図１に示したように、本実施形態に係る物品保管装置１では、鍵管理ユニット２１や通帳管理ユニット２２が操作制御ユニット１０に隣接する位置に配置されている。これにより、本実施形態に係る物品保管装置１では、鍵管理ユニット２１の鍵ホルダ部２１３や通帳管理ユニット２２の個別収納部が、タッチパネルＬＣＤ１０２の近傍に位置することとなる。したがって、利用者は、たとえば、鍵ホルダ部２１３から鍵ホルダを取り出す場合に、タッチパネルＬＣＤ１０２に表示された鍵位置案内画面を目視しながらの取り出し操作をより容易に行うことができる。
【００４１】
さらに、本実施形態に係る物品保管装置１では、左右方向に開閉するドア型の扉体２１５を有する鍵管理ユニット２１を操作制御ユニット１０と同じ高さに配置し、前後方向に開閉する引き出し型の扉体を有する通帳管理ユニット２２を操作制御ユニット１０よりも低い位置に配置している。これにより、鍵ホルダ部２１３や個別収納部の視認性を高めることができる。
【００４２】
また、操作制御ユニット１０は、操作制御ユニット１０の前面に設けられたカメラ１０３を用いて、利用者の顔画像を様々なタイミングで撮影する。たとえば、操作制御ユニット１０は、操作制御ユニット１０の前面に設けられたカードリーダ１０１によって利用者を認証した場合にカメラ１０３を用いて利用者を撮影する。これにより、物品保管装置１は、ログイン時における本人成りすましを防止することができる。また、操作制御ユニット１０は、収納ユニットや管理収納ユニットの解錠操作が行われた場合や扉体の開閉時等にも利用者の撮影を行うことができる。
【００４３】
なお、本実施形態に係る物品保管装置１は、収納ユニットや管理収納ユニットを操作制御ユニット１０の片側方向に対してそれぞれ最大５列まで連結することができる。そこで、物品保管装置１では、操作制御ユニット１０から離れた位置にあるユニットを操作する利用者であっても確実に撮影できるように、カメラ１０３として広角カメラを用いることとしている。
【００４４】
なお、以下では、床面上に設置される通帳管理ユニット２２および一般ユニット２４を下段ユニットと呼び、下段ユニットの上面に設置される操作制御ユニット１０、鍵管理ユニット２１および一般ユニット２３を上段ユニットと呼ぶこととする。
【００４５】
次に、本実施形態に係る物品保管装置１の構成について図３を用いて説明する。図３は、物品保管装置１の構成を示すブロック図である。なお、同図には、物品保管装置１の特徴を説明するために必要な構成要素のみを示しており、一般的な構成要素についての記載を省略している。
【００４６】
同図に示すように、物品保管装置１は、操作制御ユニット１０と、被制御ユニット２０とを備えている。ここで、被制御ユニット２０とは、鍵管理ユニット２１、通帳管理ユニット２２および一般ユニット２３，２４を示す。以下では、まず、操作制御ユニット１０の各構成要素について説明する。
【００４７】
操作制御ユニット１０は、カードリーダ１０１と、タッチパネルＬＣＤ（Liquid Crystal Display）１０２と、カメラ１０３と、記憶部１０４と、制御部１０５とを備えている。また、記憶部１０４は、被制御ユニット管理情報１０４ａと、利用者管理情報１０４ｂと、物品管理情報１０４ｃと、顔画像情報１０４ｄとを記憶し、制御部１０５は、情報取得部１０５ａと、認証部１０５ｂと、表示制御部１０５ｃと、指示部１０５ｄと、顔画像保存処理部１０５ｅとをさらに備えている。
【００４８】
カードリーダ１０１は、磁気カードからＩＤ（Identification）を読み取る読取装置である。タッチパネルＬＣＤ１０２は、各種の操作画面等を表示したり、指先等でタッチされた情報を制御部１０５へ伝えたりする表示操作部である。
【００４９】
カメラ１０３は、利用者の顔画像を撮影する。特に、本実施形態では、被制御ユニット２０を増設した場合であっても、操作制御ユニット１０から離れた位置に設置された被制御ユニット２０を操作する利用者を撮影できるように広角カメラを用いている。
【００５０】
なお、カメラ１０３は、図１に示したように、タッチパネルＬＣＤ１０２の上部近傍に設置されるため、タッチパネルＬＣＤ１０２を操作中の利用者の顔画像をほぼ真正面から撮影することができる。
【００５１】
記憶部１０４は、不揮発性メモリやハードディスクドライブといった記憶デバイスであり、被制御ユニット管理情報１０４ａと、利用者管理情報１０４ｂと、物品管理情報１０４ｃと、顔画像情報１０４ｄとを記憶する。
【００５２】
被制御ユニット管理情報１０４ａは、被制御ユニット２０である鍵管理ユニット２１、通帳管理ユニット２２、一般ユニット２３，２４に関する情報である。具体的には、被制御ユニット管理情報１０４ａは、各ユニットの位置情報、鍵ホルダ部２１３の状態情報、通帳計数部２２２による計数結果情報等を含んでいる。
【００５３】
利用者管理情報１０４ｂは、物品保管装置１の利用者に関する情報である。ここで、利用者管理情報１０４ｂの一例について図４を用いて説明する。図４は、利用者管理情報１０４ｂの一例を示す図である。
【００５４】
図４に示すように、利用者管理情報１０４ｂは、「利用者名」項目と、「ＩＤ」項目と、「権限扉」項目と、「権限鍵」項目とを含んだ情報である。ここで、「利用者名」項目は、利用者の名称が格納される項目である。たとえば、同図に示した場合には、「栄光太郎」が格納されている。「ＩＤ」項目は、利用者に割り当てられた磁気カードのカードＩＤが格納される項目である。たとえば、同図に示した場合には、「０１２３４５６７８９」が格納されている。
【００５５】
「権限扉」項目は、利用者が解錠権限を有する収納部の識別情報が格納される項目である。たとえば、同図に示した場合には、「Ｂ１〜Ｂ１２」が格納されている。これは、栄光太郎が収納部Ｂ１〜Ｂ１２を解錠する権限を有していることを示している。
【００５６】
「権限鍵」項目は、利用者が解錠権限を有する鍵ホルダの識別情報が格納される項目である。たとえば、同図に示した場合には、「Ａ１，Ａ５，Ａ１８，Ａ２３，Ａ２４，Ａ２５」が格納されている。これは、栄光太郎が鍵ホルダ部２１３に設けられた鍵ホルダのうち、鍵ホルダＡ１，Ａ５，Ａ１８，Ａ２３，Ａ２４，Ａ２５を解錠する権限を有していることを示している。
【００５７】
物品管理情報１０４ｃは、各収納部に収納されている物品に関する情報である。ここで、この物品管理情報１０４ｃの一例について図５を用いて説明する。図５は、物品管理情報１０４ｃの一例を示す図である。なお、同図の（ａ）には、収納部と物品とが１対１で対応付けられた物品管理テーブルの一例を示し、同図の（ｂ）には、収納部と物品とが１対多で対応付けられる場合に用いられるサブテーブルの一例を示している。
【００５８】
図５（ａ）に示したように、物品管理テーブルは、「収納部」項目と、「物品」項目と、「関連鍵」項目と、「サブテーブル」項目とを含んでいる。ここで、「収納部」項目は、各収納部Ｂ１〜Ｂ１２の識別情報が格納される項目である。「物品」項目は、各収納部Ｂ１〜Ｂ１２に収納されている物品の名称が格納される項目である。
【００５９】
「関連鍵」項目は、各収納部Ｂ１〜Ｂ１２に収納されている物品に関連する鍵ホルダの識別情報が格納される項目である。たとえば、同図に示した場合には、収納部「Ｂ１」および物品「手提金庫」と対応付けて関連鍵「Ａ１」が格納されている。これは、収納部Ｂ１に収納された手提金庫の鍵が、鍵ホルダ部２１３における鍵ホルダＡ１に取り付けられて保管されていることを示している。
【００６０】
また、同図に示した場合には、収納部「Ｂ１２」および物品「現金」と対応付けて関連鍵「Ａ２３」が格納されている。これは、収納部Ｂ１２に収納された現金の行き先となるＡＴＭや金庫等の鍵が、鍵ホルダ部２１３における鍵ホルダＡ２３に取り付けられて保管されていることを示している。
【００６１】
「サブテーブル」項目は、収納部に収納された複数の物品を個別に管理する場合に用いられるサブテーブルの識別情報が格納される項目である。たとえば、同図に示した場合には、収納部「Ｂ１０」および物品「バラ通帳」と対応付けてサブテーブル「Ｔ１」が格納されている。ここで、このサブテーブル「Ｔ１」について図５（ｂ）を用いて説明する。
【００６２】
同図に示すように、サブテーブルＴ１は、「個別収納部」項目と、「通帳名」項目と、「関連鍵」項目と、「束通帳」項目とを含んでいる。ここで、「個別収納部」項目は、通帳管理ユニット２２の収納部Ｂ１０に設けられた４つの個別収納部の識別情報（以下、「個別収納部識別情報」と記載する）が格納される項目である。
【００６３】
「通帳名」項目は、各個別収納部に格納された通帳の通帳名が格納される項目である。なお、同図に示した場合には、「定期預金通帳」が格納されている。「関連鍵」項目は、各個別収納部に収納されている通帳に関連する鍵の鍵ホルダを特定するための情報が格納される項目である。たとえば、同図に示した場合には、関連鍵「Ａ５」が格納されている。これは、個別収納部「０１」に収納された定期預金通帳の行き先となるＡＴＭや部屋等の鍵が、鍵ホルダ部２１３の鍵ホルダＡ５に取り付けられて保管されていることを示している。
【００６４】
「束通帳」項目は、個別収納部に収納されている通帳と同一の束通帳が収納されている収納部の識別情報が格納される項目である。たとえば、同図に示した場合には、「Ｂ４」が格納されている。
【００６５】
図３の説明に戻り、顔画像情報１０４ｄについて説明する。顔画像情報１０４ｄは、カメラ１０３によって撮影された利用者の顔画像に関する情報であり、利用者のＩＤや操作履歴と対応付けられている。
【００６６】
制御部１０５は、被制御ユニット２０からの情報の取得、利用者の認証、タッチパネルＬＣＤ１０２の表示制御、被制御ユニット２０への各種指示、顔画像の保存処理といった処理を行う処理部である。具体的には、制御部１０５は、情報取得部１０５ａと、認証部１０５ｂと、表示制御部１０５ｃと、指示部１０５ｄと、顔画像保存処理部１０５ｅとを備えている。
【００６７】
情報取得部１０５ａは、被制御ユニット２０から情報を取得する処理部である。たとえば、情報取得部１０５ａは、鍵管理ユニット２１、通帳管理ユニット２２および一般ユニット２３，２４から各ユニットの位置情報や扉体の開閉状態情報等を取得する。
【００６８】
また、情報取得部１０５ａは、鍵管理ユニット２１から各鍵ホルダの位置情報や状態情報を取得する。なお、各鍵ホルダの位置情報や状態情報は、１つの収納部に収納された複数の物品を識別する物品識別情報の一例である。また、状態情報は、各鍵ホルダが施錠状態であるか又は解錠状態であるかを示す施解錠情報や各鍵ホルダが鍵ホルダ部２１３に挿入された状態であるか又は抜き出された状態であるかを示す有無情報などを含んでいる。また情報取得部１０５ａは、通帳管理ユニット２２から個別収納部の位置情報や通帳計数部２２２による計数結果情報等を取得する。
【００６９】
認証部１０５ｂは、利用者の認証を行う処理部である。具体的には、認証部１０５ｂは、磁気カードから読み取ったＩＤをカードリーダ１０１から受け取ると、受け取ったＩＤが利用者管理情報１０４ｂに記憶されているＩＤと一致するか否かを判定し、両者が一致した場合に、利用者を認証する。
【００７０】
なお、本実施形態では、カードリーダ１０１による認証だけを行う場合について説明するが、タッチパネルＬＣＤ１０２を用いて利用者に自分のＩＤを入力させてもよい。かかる場合には、認証部１０５ｂは、利用者によって入力されたＩＤをタッチパネルＬＣＤ１０２から受け取り、受け取ったＩＤが利用者管理情報１０４ｂに記憶されているＩＤと一致するか否かを判定すればよい。
【００７１】
表示制御部１０５ｃは、タッチパネルＬＣＤ１０２に対して各種の画面を表示させる処理部である。たとえば、表示制御部１０５ｃは、認証部１０５ｂによって利用者が認証された場合には、利用者に対して各種の操作を選択させる操作選択画面をタッチパネルＬＣＤ１０２に表示させる。
【００７２】
また、表示制御部１０５ｃは、指示部１０５ｄからの指示に従って、鍵位置案内画面をタッチパネルＬＣＤ１０２に対して表示させる。具体的には、表示制御部１０５ｃは、権限鍵情報を含んだ鍵位置案内画面表示指示を指示部１０５ｄから受け取った場合に、受け取った鍵位置案内画面表示指示に含まれる権限鍵情報と、被制御ユニット管理情報１０４ａとして記憶部１０４に記憶されている鍵ホルダの位置情報とを用いて鍵位置案内画面を生成する。そして、表示制御部１０５ｃは、生成した鍵位置案内画面をタッチパネルＬＣＤ１０２に対して表示させる。
【００７３】
また、表示制御部１０５ｃは、指示部１０５ｄからの指示に従って、通帳位置案内画面をタッチパネルＬＣＤ１０２に対して表示させる。具体的には、表示制御部１０５ｃは、個別収納部識別情報を含んだ通帳位置案内画面表示指示を指示部１０５ｄから受け取った場合に、受け取った通帳位置案内画面表示指示に含まれる個別収納部識別情報と、被制御ユニット管理情報１０４ａとして記憶部１０４に記憶されている個別収納部の位置情報とを用いて通帳位置案内画面を生成する。そして、表示制御部１０５ｃは、生成した通帳案内画面をタッチパネルＬＣＤ１０２に対して表示させる。
【００７４】
指示部１０５ｄは、被制御ユニット２０に対する扉体の施解錠、鍵管理ユニット２１に対する鍵ホルダの施解錠、通帳管理ユニット２２に対する通帳計数処理の実行等を指示する処理部である。
【００７５】
また、指示部１０５ｄは、鍵管理ユニット２１に対して鍵ホルダの解錠指示を行った場合に、ログイン中の利用者に対応付けられた権限鍵情報を利用者管理情報１０４ｂから取り出し、取り出した権限鍵情報を含んだ鍵位置案内画面表示指示を表示制御部１０５ｃに対して通知する。
【００７６】
たとえば、「栄光太郎」がログイン中である場合には、指示部１０５ｄは、権限鍵情報「Ａ１，Ａ５，Ａ１８，Ａ２３，Ａ２４，Ａ２５」を利用者管理情報１０４ｂから取り出し、この権限鍵情報を含んだ鍵位置案内画面表示指示を表示制御部１０５ｃに対して通知する。
【００７７】
また、指示部１０５ｄは、通帳管理ユニット２２の扉体が解錠されると、図５（ｂ）に示したサブテーブルＴ１を参照し、利用者によって選択された通帳が収納されている個別収納部に対応する個別収納部識別情報を取り出し、取り出した個別収納部識別情報を含んだ通帳位置案内画面表示指示を表示制御部１０５ｃに対して通知する。
【００７８】
たとえば、ログイン中の利用者「栄光太郎」が定期預金通帳の取り出しを選択した場合、指示部１０５ｄは、個別収納部識別情報「０１」をサブテーブルＴ１から取り出し、この情報を含んだ通帳位置案内画面表示指示を表示制御部１０５ｃに対して通知する。
【００７９】
また、指示部１０５ｄは、何れかの収納部が解錠された場合に、解錠された収納部に収納されている物品に関連する鍵が鍵管理ユニット２１に保管されているか否かを判定する。具体的には、指示部１０５ｄは、記憶部１０４に記憶された物品管理情報１０４ｃを参照し、解錠された収納部に関連鍵情報が対応付けられているか否かを判定する。
【００８０】
そして、指示部１０５ｄは、解錠された収納部に収納されている物品に関連する鍵が鍵管理ユニット２１に保管されていると判定すると、解錠された収納部に収納されている物品に関連する鍵が鍵管理ユニット２１に保管されている旨を表示するよう表示制御部１０５ｃに対して指示する。
【００８１】
顔画像保存処理部１０５ｅは、カメラ１０３によって撮影された利用者の顔画像を所定のタイミングで記憶部１０４に記憶する。具体的には、顔画像保存処理部１０５ｅは、認証部１０５ｂによって利用者が認証された場合および被制御ユニット２０の何れかの収納部の解錠が利用者によって選択された場合に、利用者の顔画像をＩＤや操作履歴等と対応付けて顔画像情報１０４ｄとして記憶部１０４に記憶する。
【００８２】
このように、顔画像保存処理部１０５ｅは、利用者の顔画像を動画ではなく静止画によって記憶しておくため、各顔画像のサイズを小さくすることができる。この結果、本実施形態に係る物品保管装置１は、長期間に亘るログ保存が可能となる。
【００８３】
なお、顔画像の保存処理は、上記以外のタイミングで行ってもよい。たとえば、顔画像保存処理部１０５ｅは、顔画像の保存処理を、利用者が物品保管装置１へ接近した場合に行ってもよい。この場合、顔画像保存処理部１０５ｅは、赤外線センサ等の接近検知センサを操作制御ユニット１０に設け、接近検知センサが利用者の接近を検知した場合に、顔画像の保存処理を行うこととすればよい。また、顔画像保存処理部１０５ｅは、扉体の開閉が行われた場合に顔画像の保存処理を行ってもよい。このように、様々なタイミングで利用者の顔画像を撮影することによって、セキュリティ性をより一層高めることができる。
【００８４】
次に、管理収納ユニットである鍵管理ユニット２１および通帳管理ユニット２２の構成について説明する。まず、鍵管理ユニット２１の構成について図６を用いて説明する。図６は、鍵管理ユニット２１の構成を示すブロック図である。
【００８５】
同図に示すように、鍵管理ユニット２１は、Ｉ／Ｆ（Interface）部２１１と、扉施錠部２１２と、鍵ホルダ部２１３と、鍵管理部２１４とを備えている。また、鍵管理部２１４は、鍵ホルダ施解錠指示部２１４ａと、状態検知部２１４ｂと、記憶部２１４ｃと、情報通知部２１４ｄとをさらに備えている。
【００８６】
Ｉ／Ｆ部２１１は、操作制御ユニット１０と通信を行うための処理部である。具体的には、Ｉ／Ｆ部２１１は、操作制御ユニット１０から扉体２１５の解錠指示あるいは施錠指示を受け取ると、受け取った指示に従って扉体２１５の施解錠を行う。
【００８７】
なお、Ｉ／Ｆ部２１１は、自ユニットに対する解錠指示や施錠指示だけでなく、自ユニットの下部に設置された下段ユニット、すなわち、一般ユニット２４に対する解錠指示や施錠指示も受け取る。そして、Ｉ／Ｆ部２１１は、一般ユニット２４に対する扉体の解錠指示あるいは施錠指示を操作制御ユニット１０から受け取ると、受け取った指示に従って一般ユニット２４の扉体の施解錠を行う。なお、操作制御ユニット１０およびＩ／Ｆ部間、隣接する上段ユニットのＩ／Ｆ部間、Ｉ／Ｆ部および下段ユニット間の通信インタフェースとしては、たとえば、ＲＳ−４８５を用いることができる。
【００８８】
また、Ｉ／Ｆ部２１１は、自ユニットの扉体２１５が解錠あるいは施錠されると、扉体２１５が解錠あるいは施錠された旨を操作制御ユニット１０に対して通知する。Ｉ／Ｆ部２１１は、下段ユニットである一般ユニット２４の扉体が解錠あるいは施錠された場合も同様の処理を行う。
【００８９】
扉施錠部２１２は、扉体２１５の施解錠を行う施解錠部である。ここで、扉施錠部２１２の具体的な構成について説明する。図７は、扉施錠部２１２の構成を示す図である。同図に示すように、扉施錠部２１２は、ロック板２１２ａと、遮光板２１２ｂと、モータ回転検知板２１２ｃと、モータ２１２ｄと、センサＡ〜Ｃとを備えている。
【００９０】
扉施錠部２１２は、モータ２１２ｄの回転に伴い、ロック板２１２ａの先端部が上下方向に移動するように構成されている。たとえば、ロック板２１２ａは、モータ２１２ｄが一回転すると先端部が最下点から最上点まで移動し、さらにもう一回転すると先端部が最上点から最下点まで移動する。
【００９１】
そして、扉体２１５が閉鎖された状態でモータ２１２ｄを一回転させると、ロック板２１２ａの先端部が最上点から最下点まで移動し、扉体２１５に設けられた係止部２１５ａとロック板２１２ａの先端部に形成された鉤部２１２ｅとが当接することによって、扉体２１５が施錠状態となる。
【００９２】
もしくは、扉体２１５が開放された状態でモータ２１２ｄを一回転させ、ロック板２１２ａの先端部を最下点まで移動させる。このとき、ロック板２１２ａは、上方向に対しては規制されていないため、扉体２１５を押し込むことにより、係止部２１５ａがロック板２１２ａの鉤部２１２ｅに係止して施錠状態となる。
【００９３】
一方、モータ２１２ｄをさらに一回転させると、ロック板２１２ａの先端部が最下点から最上点まで移動し、扉体２１５の係止部２１５ａとロック板２１２ａの先端部とが当接しなくなることによって、扉体２１５が解錠状態となる。
【００９４】
このように、本実施形態に係る扉施錠部２１２は、ロック機構として一般的なラッチングソレノイド方式ではなく簡易なモータ方式を採用することによって、物品保管装置１の大幅なコストダウンを可能としている。
【００９５】
ところが、モータは、ソレノイドとは異なり、停止指示を行った後も慣性によって所定時間回転し続ける（オーバーランする）ため、ロック板２１２ａを最上点または最下点で正しく停止させることが困難であるという問題がある。そこで、本実施形態では、モータ回転検知板２１２ｃおよびセンサＡ，Ｂを用いて、モータ２１２ｄに適した停止タイミングを事前に割り出すこととしている。
【００９６】
センサＡは、ロック板２１２ａを検知するセンサである。具体的には、センサＡは、発光素子と受光素子とを備えており、被検知物としてロック板２１２ａの下部に設けられた遮光板２１２ｂによって発光素子からの光が遮られた場合に、ロック板２１２ａを検知する。
【００９７】
モータ回転検知板２１２ｃは、モータ２１２ｄの回転に伴って回転する半月板状の板部材である。また、センサＢは、センサＡと同様のセンサであり、モータ回転検知板２１２ｃを検知する。ここで、モータ回転検知板２１２ｃおよびセンサＢの構成について図８を用いて説明しておく。図８は、モータ回転検知板２１２ｃおよびセンサＢの構成を示す図である。
【００９８】
同図に示すように、本実施形態に係る扉施錠部２１２は、モータ回転検知板２１２ｃを半月板状とすることにより、１つのセンサＢを用いて「透光→遮光」および「遮光→透光」の２つの状態を検知することができる。すなわち、センサＢは、モータ回転検知板２１２ｃによって発光素子からの光が遮られたタイミング（透光→遮光）および受光素子が再び発光素子からの光を受光したタイミング（遮光→透光）を検知する。
【００９９】
ここで、センサＢが「透光→遮光」または「遮光→透光」を検知したタイミングでモータ２１２ｄの停止指示が出された場合には、モータ２１２ｄのオーバーランによって、モータ回転検知板２１２ｃも余計に回転することとなる（図８参照）。
【０１００】
そこで、Ｉ／Ｆ部２１１は、センサＢが「遮光→透光」を検知してからモータ２１２ｄの停止指示を行うまでの待機時間（ソフトウェイト時間）をモータ回転検知板２１２ｃおよびセンサＡ，Ｂを用いて算出することとしている。ここで、ソフトウェイト時間の算出方法について図９を用いて説明する。図９は、ソフトウェイト時間の算出方法を説明するための図である。
【０１０１】
同図に示すように、たとえば、センサＢが「遮光→透光」を検知してからｔ１経過後にモータ２１２ｄへの停止指示を行った場合に、センサＡが遮光板２１２ｂを検知（すなわち、「透光→遮光」を検知）したとする（図９（ａ）参照）。また、センサＢが「遮光→透光」を検知してからｔ２経過後にモータ２１２ｄへの停止指示を行った場合に、センサＡが「遮光→透光」を検知したとする（図９（ｂ）参照）。
【０１０２】
このような場合、モータがオーバーランする時間をｔ０とすると、遮光板２１２ｂは、センサＢが「遮光→透光」を検知してからｔ１＋ｔ０からｔ２＋ｔ０までの間に、一旦最下点まで下がったのち再び同じ高さまで移動したと推定される（図９（ｃ）参照）。そこで、Ｉ／Ｆ部２１１は、センサＢが「遮光→透光」を検知してから（（ｔ１＋ｔ０）＋（ｔ２＋ｔ０）／２−ｔ０＝（ｔ１＋ｔ２）／２経過後にモータ２１２ｄへの停止指示を行った場合に、ロック板２１２ａが最下点で停止すると推定し、この時間をソフトウェイト時間として決定する。
【０１０３】
ここで、このようにして決定されたソフトウェイト時間を用いてＩ／Ｆ部２１１が扉体２１５の施錠制御を行う場合について図１０を用いて説明しておく。図１０は、モータ２１２ｄの停止タイミングを説明するためのタイミングチャートである。
【０１０４】
図１０に示すように、センサＢが「遮光→透光」を検知すると、Ｉ／Ｆ部２１１は、ソフトウェイト時間だけ待機した後、モータ２１２ｄへの停止指示を行う。この結果、オーバーランによって停止指示後も回転し続けたモータ２１２ｄが停止した時点で、ロック板２１２ａは、最下点で停止する。
【０１０５】
なお、扉体２１５の解錠を行う場合には、Ｉ／Ｆ部２１１は、上記のようにして算出したソフトウェイト時間を用いて解錠制御を行う。すなわち、Ｉ／Ｆ部２１１は、センサＢが「透光→遮光」を検知してからソフトウェイト時間だけ待機した後、モータ２１２ｄへの停止指示を行う。
【０１０６】
また、図７に示したセンサＣは、センサＡおよびセンサＢと同様のセンサであり、扉体２１５の開閉状態を検知する。扉施錠部２１２は、扉体２１５の開閉状態が「開→閉」あるいは「閉→開」に変化したことをセンサＣが検知した場合に、操作制御ユニット１０に対して扉体２１５の開閉状態を通知する。
【０１０７】
図６の説明に戻り、鍵ホルダ部２１３について説明する。鍵ホルダ部２１３は、複数の鍵を個別に施解錠する。たとえば、鍵ホルダ部２１３は、鍵ホルダＡ１を解錠すべき旨の指示を受けたならば、鍵ホルダＡ１のみを解錠し、鍵ホルダＡ１〜Ａ５を解錠すべき旨の指示を受けたならば、鍵ホルダＡ１〜Ａ５をまとめて解錠する。
【０１０８】
鍵管理部２１４は、鍵ホルダ部２１３への施解錠指示、鍵ホルダの状態検知、鍵ホルダ状態情報の記憶、鍵ホルダ状態情報の通知といった処理を行う処理部である。具体的には、鍵管理部２１４は、鍵ホルダ施解錠指示部２１４ａと、状態検知部２１４ｂと、記憶部２１４ｃと、情報通知部２１４ｄとを備えている。なお、鍵管理部２１４および操作制御ユニット１０間の通信は、Ｉ／Ｆ部２１１経由ではなく、ＬＡＮ（Local Area Network）等を用いて直接行われる。
【０１０９】
鍵ホルダ施解錠指示部２１４ａは、鍵ホルダ部２１３に対して鍵ホルダの解錠または施錠を指示する処理部である。具体的には、鍵ホルダ施解錠指示部２１４ａは、操作制御ユニット１０の指示部１０５ｄから鍵ホルダの解錠指示あるいは施錠指示を受け取ると、受け取った指示に従って、鍵ホルダ部２１３に対して鍵ホルダの解錠指示あるいは施錠指示を行う。
【０１１０】
状態検知部２１４ｂは、鍵ホルダ部２１３の状態検知を行う処理部である。具体的には、状態検知部２１４ｂは、各鍵ホルダの「施錠状態」、「解錠状態」および「持ち出し状態」を検知する。また、状態検知部２１４ｂは、検知した各鍵ホルダの状態を鍵ホルダ状態情報として記憶部２１４ｃに記憶する。
【０１１１】
記憶部２１４ｃは、不揮発性メモリやハードディスクドライブといった記憶デバイスであり、鍵ホルダ状態情報や各鍵ホルダの位置情報等を記憶している。
【０１１２】
情報通知部２１４ｄは、記憶部２１４ｃに記憶された情報を操作制御ユニット１０に対して通知する処理部である。具体的には、情報通知部２１４ｄは、記憶部２１４ｃに記憶されている鍵ホルダ状態情報が更新された場合に、更新された鍵ホルダ状態情報を記憶部２１４ｃから取り出して操作制御ユニット１０に対して通知する。また、情報通知部２１４ｄは、物品保管装置１の起動時に、各鍵ホルダの位置情報を操作制御ユニット１０に対して通知する。
【０１１３】
次に、通帳管理ユニット２２の構成について図１１を用いて説明する。図１１は、通帳管理ユニットの構成を示すブロック図である。同図に示すように、通帳管理ユニット２２は、扉施錠部２２１と、通帳計数部２２２と、通帳精査部２２３とを備えている。また、通帳精査部２２３は、計数指示部２２３ａと、記憶部２２３ｂと、情報通知部２２３ｃとを備えている。
【０１１４】
扉施錠部２２１は、通帳管理ユニット２２の扉体の施解錠を行う施解錠部である。なお、扉施錠部２２１の構成は、鍵管理ユニット２１が有する扉施錠部２１２と同様であるため、その説明を省略する。
【０１１５】
また、扉施錠部２２１は、通帳管理ユニット２２の上部に設置された一般ユニット２３のＩ／Ｆ部からの指示に従って扉体の施解錠を行う。ここで、一般ユニット２３のＩ／Ｆ部は、扉施錠部２２１のモータに適したソフトウェイト時間を予め学習しており、このソフトウェイト時間を用いてモータの停止指示を行う。
【０１１６】
通帳計数部２２２は、通帳管理ユニット２２の収納部Ｂ１０に収納された通帳を計数するための機構である。ここで、通帳計数部２２２の構成について図１２を用いて説明しておく。図１２は、通帳計数部の構成を示す図である。
【０１１７】
まず、通帳を収納する収納部Ｂ１０の構成について説明する。同図に示すように、収納部Ｂ１０は、収納部Ｂ１０に固定された仕切り板２２４ａ，２２４ｂと、各個別収納部に収納された通帳を押さえ付けるための押さえ板２２５ａ，２２５ｂとを有している。
【０１１８】
たとえば、押さえ板２２５ａは、収納部Ｂ１０の前後方向にスライド可能であり、仕切り板２２４ａとの間に収納された通帳を仕切り板２２４ａ方向へ付勢するように構成されている。これにより、押さえ板２２５ａを有する個別収納部に収納された通帳は、仕切り板２２４ａと押さえ板２２５ａとの間で固定される。
【０１１９】
一方、通帳計数部２２２は、収納部Ｂ１０の上部に設けられた反射型センサ２２２ａと、この反射型センサ２２２ａを取り付けるセンサ基板２２２ｂとを含む。反射型センサ２２２ａは、発光素子と受光素子とを備えるセンサであり、センサ基板２２２ｂの稼働に伴って収納部Ｂ１０の前後方向に稼働する。
【０１２０】
具体的には、反射型センサ２２２ａは、センサ基板２２２ｂの稼働に伴って収納部Ｂ１０の手前側から奥側へと稼働しながら発光素子を用いて通帳に光を照射するとともにその反射光を受光素子を用いて受光する。つづいて、通帳計数部２２２は、受光素子によって受光された反射光の受光レベルに基づき、通帳間の凹凸を検出する。そして、通帳計数部２２２は、検出した凹凸の数に基づいて通帳の数を決定する。
【０１２１】
通帳計数部２２２は、かかる通帳計数処理を完了すると、計数処理が完了した旨を情報通知部２２３ｃに通知するとともに、計数結果を記憶部２２３ｂに記憶する。
【０１２２】
なお、通帳計数部２２２は、反射型センサ２２２ａによる検出結果が異常となった場合に使用する予備の反射型センサをさらに備えていてもよい。また、図１２では、２つの個別収納部に収納された通帳を計数する反射型センサ２２２ａのみを示したが、通帳計数部２２２は、他の２つの個別収納部に格納された通帳を計数するための反射型センサも有している。
【０１２３】
図１１の説明に戻り、通帳精査部２２３について説明する。通帳精査部２２３は、通帳計数部２２２に対する通帳の計数指示、計数結果情報の記憶および通知といった処理を行う処理部である。具体的には、通帳精査部２２３は、計数指示部２２３ａと、記憶部２２３ｂと、情報通知部２２３ｃとを備えている。
【０１２４】
計数指示部２２３ａは、通帳計数部２２２に対して通帳計数処理の実行を指示する処理部である。具体的には、計数指示部２２３ａは、操作制御ユニット１０の指示部１０５ｄから通帳計数処理の実行指示を受け取った場合に、通帳計数部２２２に対して通帳計数処理の実行を指示する。
【０１２５】
記憶部２２３ｂは、不揮発性メモリやハードディスクドライブといった記憶デバイスであり、通帳計数部２２２による計数結果情報を記憶する。
【０１２６】
情報通知部２２３ｃは、記憶部２２３ｂに記憶された計数結果情報を操作制御ユニット１０に対して通知する処理部である。具体的には、情報通知部２２３ｃは、計数処理が完了した旨を通帳計数部２２２から受け取ると、更新前の計数結果および更新後の計数結果を記憶部２２３ｂから取得する。
【０１２７】
つづいて、情報通知部２２３ｃは、更新前後の計数結果を用いて、取り出された通帳数または補充された通帳数を算出し、更新後の計数結果とともに計数結果情報として操作制御ユニット１０へ通知する。たとえば、更新前の計数結果が「１３１」であり、更新後の計数結果が「１２３」である場合、情報通知部２２３ｃは、計数結果情報として、取り出された通帳数「８」および更新後の計数結果「１２３」を操作制御ユニット１０へ通知する。
【０１２８】
次に、本実施形態に係る物品保管装置１が実行する処理手順について説明する。図１３は、物品保管装置１が実行する処理手順を示すフローチャートである。
【０１２９】
図１３に示すように、物品保管装置１は、電源が投入されると、初期化処理を行う（ステップＳ１０１）。この初期化処理において、操作制御ユニット１０の情報取得部１０５ａは、被制御ユニット２０の位置情報、鍵ホルダの位置情報、鍵ホルダ状態情報、計数結果情報等を取得し、被制御ユニット管理情報１０４ａとして記憶部１０４へ記憶する。初期化処理を終えると、物品保管装置１では、操作制御ユニット１０の表示制御部１０５ｃが、タッチパネルＬＣＤ１０２に待機画面を表示させる（ステップＳ１０２）。
【０１３０】
つづいて、操作制御ユニット１０の認証部１０５ｂは、ログイン操作が行われたか否かを判定する（ステップＳ１０３）。なお、認証部１０５ｂは、カードリーダ１０１に磁気カードが挿通された場合に、ログイン操作が行われたと判定する。かかる処理において、ログイン操作が行われたと判定した場合（ステップＳ１０３，Ｙｅｓ）、処理をステップＳ１０４へ移行する。
【０１３１】
ステップＳ１０４において、認証部１０５ｂは、利用者の認証に成功したか否かを判定する（ステップＳ１０４）。具体的には、認証部１０５ｂは、カードリーダ１０１によって磁気カードから読み取ったＩＤが利用者管理情報１０４ｂとして記憶されているＩＤと一致した場合に、利用者の認証に成功したと判定する。なお、認証部１０５ｂは、カードリーダ１０１による認証だけでなく、ＩＤ入力による認証も行ってもよい。
【０１３２】
ステップＳ１０４において利用者の認証に失敗した場合（ステップＳ１０４，Ｎｏ）、表示制御部１０５ｃは、認証に失敗した旨をタッチパネルＬＣＤ１０２に対して表示させる（ステップＳ１０５）。そして、ステップＳ１０５の処理を終えた場合、あるいは、ステップＳ１０３においてログイン操作が行われていない場合（ステップＳ１０３，Ｎｏ）、操作制御ユニット１０は、ステップＳ１０３以降の処理を繰り返す。
【０１３３】
一方、利用者の認証に成功したと判定した場合（ステップＳ１０４，Ｙｅｓ）、顔画像保存処理部１０５ｅは、カメラ１０３によって撮影された画像をログイン中の利用者のＩＤや操作履歴等と関連付けて顔画像情報１０４ｄとして記憶部１０４に記憶する（ステップＳ１０６）。
【０１３４】
つづいて、表示制御部１０５ｃは、タッチパネルＬＣＤ１０２に対して操作選択画面を表示させる（ステップＳ１０７）。ここで、操作選択画面には、鍵管理ユニット２１、通帳管理ユニット２２あるいは一般ユニット２３，２４に対応するアイコン等がそれぞれ表示される。
【０１３５】
つづいて、操作制御ユニット１０の制御部１０５は、操作選択画面において鍵管理ユニット２１に対応するアイコンが選択されたか否かを判定する（ステップＳ１０８）。かかる処理において、鍵管理ユニット２１に対応するアイコンが選択されたと判定した場合（ステップＳ１０８，Ｙｅｓ）、顔画像保存処理部１０５ｅは、カメラ１０３によって撮影された画像をログイン中の利用者のＩＤや操作履歴等と関連付けて顔画像情報１０４ｄとして記憶部１０４に記憶する（ステップＳ１０９）。そして、顔画像の保存を終えると、物品保管装置１は、鍵取出処理を実行する（ステップＳ１１０）。かかる鍵取出処理は、図１４に示す処理であり、後述する。
【０１３６】
一方、ステップＳ１０８において鍵管理ユニット２１に対応するアイコンが選択されていないとき（ステップＳ１０８，Ｎｏ）、操作制御ユニット１０の制御部１０５は、通帳管理ユニット２２に対応するアイコンが選択されたか否かを判定する（ステップＳ１１１）。かかる処理において、通帳管理ユニット２２に対応するアイコンが選択されたと判定した場合（ステップＳ１１１，Ｙｅｓ）、制御部１０５は、さらに、通帳選択操作が行われたか否かを判定する（ステップＳ１１２）。
【０１３７】
具体的には、操作選択画面において通帳管理ユニット２２に対応するアイコンが選択されると、表示制御部１０５ｃは、タッチパネルＬＣＤ１０２に対して通帳選択画面を表示させる。通帳選択画面は、通帳管理ユニット２２に収納されている複数種類の通帳の中から一の通帳を利用者に選択させるための画面である。そして、この通帳選択画面において一の通帳が選択されると、制御部１０５は、通帳選択操作が行われたと判定する。
【０１３８】
ステップＳ１１２において通帳選択操作が行われたと判定すると（ステップＳ１１２，Ｙｅｓ）、顔画像保存処理部１０５ｅは、カメラ１０３によって撮影された画像をログイン中の利用者のＩＤや操作履歴等と関連付けて顔画像情報１０４ｄとして記憶部１０４に記憶する（ステップＳ１１３）。そして、顔画像の保存を終えると、物品保管装置１は、通帳出入処理を実行する（ステップＳ１１４）。かかる通帳出入処理は、図１６に示す処理であり、後述する。
【０１３９】
一方、ステップＳ１１１において通帳管理ユニット２２に対応するアイコンが選択されていないとき（ステップＳ１１１，Ｎｏ）、操作制御ユニット１０の制御部１０５は、一般ユニット２３，２４に対応するアイコンが選択されたか否かを判定する（ステップＳ１１５）。かかる処理において、一般ユニット２３，２４に対応するアイコンが選択されたと判定した場合（ステップＳ１１５，Ｙｅｓ）、制御部１０５は、収納部の選択操作が行われたか否かを判定する（ステップＳ１１６）。
【０１４０】
具体的には、操作選択画面において一般ユニット２３，２４に対応するアイコンが選択されると、表示制御部１０５ｃは、収納部選択画面をタッチパネルＬＣＤ１０２に対して表示させる。収納部選択画面は、一般ユニット２３，２４の収納部Ｂ３〜Ｂ９の中から一の収納部を利用者に選択させるための画面である。そして、この収納部選択画面において一の収納部が選択されると、制御部１０５は、収納部の選択操作が行われたと判定する。
【０１４１】
ステップＳ１１６において収納部の選択操作が行われたと判定すると（ステップＳ１１６，Ｙｅｓ）、顔画像保存処理部１０５ｅは、カメラ１０３によって撮影された画像をログイン中の利用者のＩＤや操作履歴等と関連付けて顔画像情報１０４ｄとして保存する（ステップＳ１１７）。そして、顔画像の保存を終えると、物品保管装置１は、物品出入処理を実行する（ステップＳ１１８）。
【０１４２】
物品出入処理では、まず、操作制御ユニット１０の指示部１０５ｄが、利用者によって選択された収納部の解錠指示を行う。ここで、上段ユニットである一般ユニット２３の収納部が選択された場合には、指示部１０５ｄは、一般ユニット２３のＩ／Ｆ部に対して収納部の解錠を指示する。一方、下段ユニットである一般ユニット２４の収納部が選択された場合には、指示部１０５ｄは、一般ユニット２４の上部に設置された鍵管理ユニット２１のＩ／Ｆ部２１１経由で収納部の解錠を指示する。そして、収納部の解錠指示を受けた一般ユニット２３，２４は、この指示に従って収納部の解錠を行う。
【０１４３】
ステップＳ１１０，Ｓ１１４，Ｓ１１８の処理を終えたとき、あるいは、ステップＳ１１５において一般ユニット２３，２４に対応するアイコンが選択されていないとき（ステップＳ１１５，Ｎｏ）、操作制御ユニット１０の制御部１０５は、ログアウト操作が行われたか否かを判定する（ステップＳ１１９）。かかる処理において、ログアウト操作が行われていないとき（ステップＳ１１９，Ｎｏ）、制御部１０５は、ステップＳ１０７以降の処理を繰り返す。一方、ログアウト操作が行われたと判定した場合（ステップＳ１１９，Ｙｅｓ）、制御部１０５は、ステップＳ１０２以降の処理を繰り返す。
【０１４４】
次に、ステップＳ１１０に示した鍵取出処理について図１４を用いて説明する。図１４は、鍵取出処理の処理手順を示すフローチャートである。
【０１４５】
図１４に示すように、鍵取出処理を開始すると、操作制御ユニット１０の指示部１０５ｄは、被制御ユニット管理情報１０４ａを参照し、鍵管理ユニット２１の扉体２１５が開状態であるか否かを判定する（ステップＳ２０１）。
【０１４６】
かかる処理において、鍵管理ユニット２１の扉体２１５が開状態でない場合（ステップＳ２０１，Ｎｏ）、すなわち、鍵管理ユニット２１の扉体２１５が閉鎖されている場合には、物品保管装置１は、鍵管理ユニット２１の扉体２１５を解錠する（ステップＳ２０２）。具体的には、物品保管装置１では、操作制御ユニット１０の指示部１０５ｄが、鍵管理ユニット２１のＩ／Ｆ部２１１に対して扉施錠部２１２の解錠指示を行い、鍵管理ユニット２１のＩ／Ｆ部２１１が、扉施錠部２１２の解錠を実行する。
【０１４７】
ステップＳ２０２の処理を終えた場合、あるいは、ステップＳ２０１において扉体２１５が開状態である場合（ステップＳ２０１，Ｙｅｓ）、物品保管装置１は、ログイン中の利用者が解錠権限を有する鍵ホルダをまとめて解錠する（ステップＳ２０３）。
【０１４８】
具体的には、物品保管装置１では、操作制御ユニット１０の指示部１０５ｄが、利用者管理情報１０４ｂを参照してログイン中の利用者と対応付けられた権限鍵情報を取得する。つづいて、指示部１０５ｄは、取得した権限鍵情報を含んだ鍵ホルダ解錠指示を鍵管理ユニット２１の鍵ホルダ施解錠指示部２１４ａに対して指示する。そして、鍵ホルダ施解錠指示部２１４ａは、鍵ホルダ解錠指示を受け取ると、受け取った鍵ホルダ解錠指示に含まれる権限鍵情報に対応する鍵ホルダを解錠する。
【０１４９】
つづいて、操作制御ユニット１０の表示制御部１０５ｃは、タッチパネルＬＣＤ１０２に鍵位置案内画面を表示させる（ステップＳ２０４）。鍵位置案内画面は、取り出し可能な鍵の位置を利用者に把握させるための画面である。ここで、鍵位置案内画面の一例を示す。図１５は、鍵位置案内画面の一例を示す図である。
【０１５０】
図１５に示すように、鍵位置案内画面には、鍵ホルダ部２１３に設けられた各鍵ホルダに対応する画像が各鍵ホルダと同様の配置で表示される。そして、鍵位置案内画面には、各鍵ホルダ画像のうち、利用者が取り出すことのできる鍵ホルダに対応する鍵ホルダ画像が他の鍵ホルダ画像とは異なる態様で表示される。
【０１５１】
たとえば、ログイン中の利用者が「栄光太郎」である場合には、「栄光太郎」が解錠権限を有する鍵ホルダＡ１，Ａ５，Ａ１８，Ａ２３，Ａ２４，Ａ２５に対応する鍵ホルダ画像が他の鍵ホルダ画像とは異なる態様で表示される。
【０１５２】
このように、タッチパネルＬＣＤ１０２に鍵位置案内画面が表示されるため、利用者は、鍵管理ユニット２１に保管されている複数の鍵の中から目的とする鍵を容易に取り出すことができる。
【０１５３】
しかも、本実施形態に係る物品保管装置１では、鍵管理ユニット２１が操作制御ユニット１０に隣接する位置に配置されるため、利用者は、鍵ホルダの取り出し操作をタッチパネルＬＣＤ１０２に表示された鍵位置案内画面を目視しながら容易に行うことができる。
【０１５４】
なお、図１５に示したように、鍵位置案内画面には、鍵ホルダ画像の他に、ログイン中の利用者の利用者名およびＩＤ、鍵を取り出すべき旨のメッセージ、操作完了時に押下される決定ボタン等が表示される。
【０１５５】
つづいて、操作制御ユニット１０の制御部１０５は、利用者が操作を完了したか否かを判定する（ステップＳ２０５）。具体的には、制御部１０５は、鍵位置案内画面に表示された決定ボタンが押下された場合に、利用者が操作を完了したと判定する。かかる処理において、利用者が操作を完了したと判定すると（ステップＳ２０５，Ｙｅｓ）、物品保管装置１は、解錠状態の鍵ホルダを施錠する（ステップＳ２０６）。
【０１５６】
具体的には、鍵位置案内画面に表示された決定ボタンが押下されると、操作制御ユニット１０の指示部１０５ｄは、鍵管理ユニット２１の鍵ホルダ施解錠指示部２１４ａに対して鍵ホルダの施錠を指示する。そして、鍵ホルダ施解錠指示部２１４ａは、鍵ホルダの施錠指示を受け取ると、鍵ホルダを施錠する。
【０１５７】
つづいて、物品保管装置１では、鍵ホルダ状態情報の更新が行われる（ステップＳ２０７）。具体的には、物品保管装置１では、鍵管理ユニット２１の状態検知部２１４ｂが、鍵ホルダ部２１３の状態を検知し、記憶部２１４ｃに記憶された鍵ホルダ状態情報を更新する。つづいて、情報通知部２１４ｄは、状態検知部２１４ｂによって更新された鍵ホルダ状態情報を操作制御ユニット１０に対して通知する。そして、操作制御ユニット１０の情報取得部１０５ａは、鍵ホルダ状態情報を取得し、取得した鍵ホルダ状態情報を被制御ユニット管理情報１０４ａとして記憶部１０４に記憶する。かかる処理を終えると、物品保管装置１は、鍵取出処理を終了する。
【０１５８】
ところで、上記では、利用者が解錠権限を有する鍵ホルダをまとめて解錠する場合について説明したが、利用者によって選択された鍵ホルダだけを解錠することとしてもよい。この場合、操作制御ユニット１０の指示部１０５ｄは、鍵位置案内画面において利用者によって押下された鍵ホルダ画像に対応する鍵ホルダの解錠のみを鍵ホルダ施解錠指示部２１４ａに対して指示するようにすればよい。
【０１５９】
次に、ステップＳ１１４に示した通帳出入処理について図１６を用いて説明する。図１６は、通帳出入処理の処理手順を示すフローチャートである。
【０１６０】
図１６に示すように、通帳出入処理を開始すると、物品保管装置１は、通帳管理ユニット２２の扉体の解錠を行う（ステップＳ３０１）。具体的には、物品保管装置１では、操作制御ユニット１０の指示部１０５ｄが、通帳管理ユニット２２の上部に設置された一般ユニット２３のＩ／Ｆ部に対して図１３のステップＳ１１２で選択した通帳が収納されている通帳管理ユニット２２の扉体の解錠を指示する。そして、一般ユニット２３のＩ／Ｆ部は、通帳管理ユニット２２の扉施錠部２２１の解錠を実行する。
【０１６１】
つづいて、操作制御ユニット１０の表示制御部１０５ｃは、タッチパネルＬＣＤ１０２に対して通帳位置案内画面を表示させる（ステップＳ３０２）。通帳案内画面は、利用者が取り扱おうとしている通帳の収納位置を利用者に把握させるための画面である。ここで、通帳位置案内画面の一例を示す。図１７は、通帳位置案内画面の一例を示す図である。
【０１６２】
図１７に示すように、通帳位置案内画面には、物品保管装置１の外観画像１０２ａと、収納部Ｂ１０の位置を示す収納部画像１０２ｂと、利用者が取り扱おうとしている通帳の通帳画像１０２ｃとが含まれる。また、収納部画像１０２ｂには、収納部Ｂ１０内に形成された４つの個別収納部のうち、利用者が取り扱おうとしている通帳が収納されている個別収納部の位置も示されている。
【０１６３】
このような通帳位置案内画面がタッチパネルＬＣＤ１０２に表示されることによって、利用者は、収納部Ｂ１０内の４つの個別収納部のうち、どの個別収納部に目的とする通帳が収納されているかを容易に把握することができる。また、通帳位置案内画面に通帳画像１０２ｃが表示されることによって、利用者は、取り出した通帳に間違いがないことを確認できる。
【０１６４】
しかも、本実施形態に係る物品保管装置１では、通帳管理ユニット２２が操作制御ユニット１０に隣接する位置に配置されるため、利用者は、通帳の出し入れ操作をタッチパネルＬＣＤ１０２に表示された通帳位置案内画面を目視しながら容易に行うことができる。また、通帳管理ユニット２２が操作制御ユニット１０に隣接する位置に配置されることによって、利用者は、通帳計数部２２２による通帳計数処理が失敗した場合に、通帳が正常に収納されているかを容易に目視確認することができる。
【０１６５】
つづいて、操作制御ユニット１０の制御部１０５は、通帳管理ユニット２２の扉体が施錠されたか否かを判定する（ステップＳ３０３）。具体的には、通帳管理ユニット２２の扉施錠部２２１は、通帳管理ユニット２２の扉体が閉鎖されたことを検知すると、扉体が閉鎖された旨を一般ユニット２３のＩ／Ｆ部経由で操作制御ユニット１０へ通知する。
【０１６６】
つづいて、扉施錠部２２１から扉体が閉鎖された旨を受けると、指示部１０５ｄは、通帳管理ユニット２２の扉体を施錠すべき旨を一般ユニット２３のＩ／Ｆ部に対して指示する。そして、一般ユニット２３のＩ／Ｆ部は、通帳管理ユニット２２の扉体を施錠すべき旨の指示を受けると、通帳管理ユニット２２の扉施錠部２２１の施錠を実行する。
【０１６７】
つづいて、扉施錠部２２１は、扉体の施錠が完了した旨を一般ユニット２３のＩ／Ｆ部を介して操作制御ユニット１０へ通知する。そして、扉体の施錠が完了した旨を受けると、操作制御ユニット１０の制御部１０５は、通帳管理ユニット２２の扉体が施錠されたと判定する。
【０１６８】
ステップＳ３０３において通帳管理ユニット２２の扉体が施錠されたと判定すると（ステップＳ３０３，Ｙｅｓ）、物品保管装置１は、通帳管理ユニット２２に収納されている通帳の計数処理を行う（ステップＳ３０４）。
【０１６９】
具体的には、通帳管理ユニット２２の扉体が施錠されると、操作制御ユニット１０の指示部１０５ｄは、通帳管理ユニット２２の計数指示部２２３ａに対して計数処理の実行を指示する。つづいて、計数指示部２２３ａは、計数指示を受けると、通帳計数部２２２に対して計数処理の実行を指示する。そして、通帳計数部２２２は、計数指示部２２３ａからの指示に従って計数処理を実行する。
【０１７０】
なお、通帳計数部２２２は、計数処理を完了すると、計数処理が完了した旨を情報通知部２２３ｃに通知するとともに、計数結果を記憶部２２３ｂに記憶する。また、情報通知部２２３ｃは、更新前の計数結果および更新後の計数結果を記憶部２２３ｂから取得する。
【０１７１】
また、情報通知部２２３ｃは、更新前後の計数結果を用いて、取り出された通帳数または補充された通帳数を算出し、更新後の計数結果とともに計数結果情報として操作制御ユニット１０へ通知する。そして、操作制御ユニット１０の情報取得部１０５ａは、計数結果情報を取得すると、取得した計数結果情報を被制御ユニット管理情報１０４ａとして記憶部１０４に記憶する。
【０１７２】
つづいて、操作制御ユニット１０の表示制御部１０５ｃは、タッチパネルＬＣＤ１０２に対して計数結果画面を表示させる（ステップＳ３０５）。具体的には、表示制御部１０５ｃは、被制御ユニット管理情報１０４ａとして記憶された計数結果情報を記憶部１０４から取得し、取得した計数結果情報を用いて計数結果画面を生成する。そして、表示制御部１０５ｃは、生成した計数結果画面をタッチパネルＬＣＤ１０２に対して表示させる。ここで、計数結果画面の一例を示す。図１８は、計数結果画面の一例を示す図である。
【０１７３】
図１８に示すように、計数結果画面には、利用者によって出し入れされた通帳の通帳名と、取り扱い結果と、通帳の在庫数とが表示される。たとえば、同図に示した場合には、通帳名「定期預金通帳」と、取扱い結果「０８  取出」と、在庫数「１２３」とが表示されている。これは、定期預金通帳が８冊取り出され、在庫数が１２３冊となったこと示している。
【０１７４】
つづいて、操作制御ユニット１０の指示部１０５ｄは、利用者によって出し入れされた通帳に関連する鍵があるか否かを判定する（ステップＳ３０６）。具体的には、指示部１０５ｄは、物品管理情報１０４ｃを参照し、利用者によって出し入れされた通帳を収納する個別収納部に関連鍵情報が対応付けられているならば（図５（ｂ）参照）、関連する鍵があると判定する。
【０１７５】
かかる処理において、関連鍵があると判定した場合（ステップＳ３０６，Ｙｅｓ）、操作制御ユニット１０の表示制御部１０５ｃは、利用者によって取り出された通帳に関連する鍵が鍵管理ユニット２１に保管されている旨をタッチパネルＬＣＤ１０２に対して表示させる（ステップＳ３０７）。
【０１７６】
このように、物品保管装置１では、利用者が通帳の出し入れを行った場合に、出し入れされた通帳と関連のある鍵（たとえば、取り出された通帳の行き先となるＡＴＭの鍵など）が鍵管理ユニット２１に保管されている旨を表示する。これにより、利用者は、たとえば、物品保管装置１から通帳を取り出し、取り出した通帳をＡＴＭに補充するといった一連の作業を効率的に行うことができる。また、鍵の取り忘れによる作業の遅延も防止することができる。
【０１７７】
つづいて、操作制御ユニット１０の制御部１０５は、利用者によって関連鍵の取り出しが指示されたか否かを判定する（ステップＳ３０８）。かかる処理において、利用者によって関連鍵の取り出しが指示されたと判定すると（ステップＳ３０８，Ｙｅｓ）、物品保管装置１は、関連鍵の鍵ホルダを解錠する（ステップＳ３０９）。
【０１７８】
具体的には、物品保管装置１では、操作制御ユニット１０の指示部１０５ｄが、関連鍵情報を含んだ鍵ホルダ解錠指示を鍵管理ユニット２１の鍵ホルダ施解錠指示部２１４ａに対して指示する。そして、鍵ホルダ施解錠指示部２１４ａは、鍵ホルダ解錠指示を受け取ると、受け取った鍵ホルダ解錠指示に含まれる関連鍵情報に対応する鍵ホルダを解錠する。
【０１７９】
つづいて、操作制御ユニット１０の表示制御部１０５ｃは、タッチパネルＬＣＤ１０２に対して鍵位置案内画面を表示させる（ステップＳ３１０）。かかる鍵位置案内画面は、図１５に示した鍵位置案内画面と同様である。
【０１８０】
つづいて、操作制御ユニット１０の制御部１０５は、利用者が鍵取出操作を完了したか否かを判定する（ステップＳ３１１）。かかる処理において、利用者が鍵取出操作を完了したと判定すると（ステップＳ３１１，Ｙｅｓ）、物品保管装置１は、解錠されている鍵ホルダを施錠し（ステップＳ３１２）、鍵ホルダ状態情報を更新する（ステップＳ３１３）。
【０１８１】
ステップＳ３１３の処理を終えたとき、あるいは、ステップＳ３０６において利用者によって取り出された通帳に関連する鍵がない場合（ステップＳ３０６，Ｎｏ）、操作制御ユニット１０の制御部１０５は、利用者が操作を完了したか否かを判定する（ステップＳ３１４）。そして、かかる処理において、利用者が操作を完了したと判定すると（ステップＳ３１４，Ｙｅｓ）、物品保管装置１は、通帳出入処理を終了する。
【０１８２】
ところで、上記では、利用者によって取り出された通帳に関連する鍵が鍵管理ユニット２１に保管されている旨を表示したのち、利用者によって関連鍵の取り出しが指示された場合に、関連鍵の鍵ホルダを解錠することとしたが、これに限ったものではない。
【０１８３】
たとえば、物品保管装置１は、利用者によって取り出された通帳の関連鍵が鍵管理ユニット２１に保管されている旨を表示したのち、利用者からの明示的な指示を得ることなく、関連鍵の鍵ホルダを解錠してもよい。この場合、操作制御ユニット１０の指示部１０５ｄは、ステップＳ３０６において関連鍵があると判定したならば（ステップＳ３０６，Ｙｅｓ）、関連鍵情報を含んだ鍵ホルダ解錠指示を鍵管理ユニット２１の鍵ホルダ施解錠指示部２１４ａに対して指示すればよい。これにより、利用者は、作業をより効率的に行うことができる。
【０１８４】
上述してきたように、本実施形態では、物品を収納する収納部および収納部を施解錠する施解錠部を有する収納ユニットと、物品を収納する収納部、収納部を施解錠する施解錠部および収納部に収納された物品を管理する管理部を有する管理収納ユニットと、施解錠部に対して収納部の施解錠を指示する指示部および管理部から物品の管理情報を取得する情報取得部を有する制御ユニットとを備えることとしたので、単に物品を保管するだけでなく保管する物品の性質に応じた物品管理を行うことができる。
【０１８５】
ところで、上述した実施形態では、通帳を取り出した場合に、取り出した通帳に関連する鍵が鍵管理ユニット２１に収納されていることを案内したり、関連する鍵の鍵ホルダの解錠処理を行ったりする場合について説明したが、他の物品が取り出された場合にも同様の処理を行うことができる。
【０１８６】
たとえば、現金が取り出された場合に、この現金の行き先となるＡＴＭや装置等の鍵が鍵管理ユニット２１に保管されている旨を表示することもできる。具体的には、図１３に示した物品出入処理において、現金を収納している収納部Ｂ１２が解錠された場合に、操作制御ユニット１０の指示部１０５ｄは、物品管理情報１０４ｃを参照して、この収納部Ｂ１２に関連鍵情報が対応付けられているか否かを判定する。そして、収納部Ｂ１２に関連鍵情報が対応付けられている場合（図５（ａ）参照）、表示制御部１０５ｃは、取り出された現金の行き先となるＡＴＭや装置等の鍵が鍵ホルダ「Ａ２３」に保管されている旨をタッチパネルＬＣＤ１０２に対して表示させる。
【０１８７】
同様に、手提金庫が取り出された場合にも、この手提金庫の鍵が鍵管理ユニット２１に保管されている旨を表示することもできる。
【０１８８】
また、本実施形態にかかる物品保管装置１は、通帳管理ユニット２２に収納されている通帳の数が少なくなった場合に、通帳を補充すべき旨をタッチパネルＬＣＤ１０２に表示するようにしてもよい。
【０１８９】
具体的には、操作制御ユニット１０の指示部１０５ｄは、被制御ユニット管理情報１０４ａとして記憶されている通帳の計数結果情報が更新された場合に、更新後の計数結果情報を参照し、通帳の在庫数が所定値以下になったか否かを判定する。
【０１９０】
そして、通帳の在庫数が所定値以下になったと判定した場合、表示制御部１０５ｃは、この通帳を補充すべき旨をタッチパネルＬＣＤ１０２に対して表示させる。これにより、利用者は、通帳の在庫数管理を容易に行うことができる。
【０１９１】
さらに、このとき、補充用の束通帳がどの収納部に収納されているかを表示してもよい。具体的には、指示部１０５ｄは、物品管理情報１０４ｃを参照して、在庫数が所定値以下となった通帳と対応付けられた束通帳情報を取り出す。そして、表示制御部１０５ｃは、取り出した束通帳情報に対応する収納部の位置を、通帳を補充すべき旨とともにタッチパネルＬＣＤ１０２に対して表示させる。これにより、利用者は、通帳を補充する場合に、補充すべき通帳と同一の束通帳がどの収納部に収納されているかを容易に把握することができる。
【０１９２】
また、これまでは、管理収納ユニットの一例として、鍵管理ユニット２１および通帳管理ユニット２２を用いて説明してきたが、管理収納ユニットは、これらに限ったものではない。たとえば、管理収納ユニットは、光学式センサや重量センサを用いて、収納されている棒金の個数や金額を計数する棒金管理ユニットであってもよい。
【０１９３】
また、管理収納ユニットは、入金時（収納時）に金種を識別することによって、収納されている貨幣の金額を計数する入金管理ユニットであってもよく、出金時（取り出し時）金種を識別することによって、収納されている貨幣の金額を計数する出金管理ユニットであってもよい。また、管理収納ユニットは、入金管理ユニットおよび出金管理ユニットの機能を兼ね備えた入出金管理ユニットであってもよい。
【産業上の利用可能性】
【０１９４】
以上のように、本発明に係る物品保管装置は、単に物品を保管するだけでなく保管する物品の性質に応じた物品管理を行いたい場合に有用であり、特に、１つの収納部内に収納された複数の物品の持ち出しや返却を個別に管理したい場合や１つの収納部内に収納された物品の個数を管理したい場合に適している。
【符号の説明】
【０１９５】
１    物品保管装置
１０    操作制御ユニット
２０    被制御ユニット
２１    鍵管理ユニット
２２    通帳管理ユニット
２３    一般ユニット
２４    一般ユニット
１０１    カードリーダ
１０２    タッチパネルＬＣＤ
１０３    カメラ
１０４    記憶部
１０４ａ  被制御ユニット管理情報
１０４ｂ  利用者管理情報
１０４ｃ  物品管理情報
１０４ｄ  顔画像情報
２１１    Ｉ／Ｆ部
２１２    扉施錠部
２１３    鍵ホルダ部
２１４    鍵管理部
２１４ａ  鍵ホルダ施解錠指示部
２１４ｂ  状態検知部
２１４ｃ  記憶部
２１４ｄ  情報通知部
２２１    扉施錠部
２２２    通帳計数部
２２３    通帳精査部
２２３ａ  計数指示部
２２３ｂ  記憶部
２２３ｃ  情報通知部
【図１】
0005616040.tif 000002
【図２】
0005616040.tif 000003
【図３】
0005616040.tif 000004
【図４】
0005616040.tif 000005
【図５】
0005616040.tif 000006
【図６】
0005616040.tif 000007
【図７】
0005616040.tif 000008
【図８】
0005616040.tif 000009
【図９】
0005616040.tif 000010
【図１０】
0005616040.tif 000011
【図１１】
0005616040.tif 000012
【図１２】
0005616040.tif 000013
【図１３】
0005616040.tif 000014
【図１４】
0005616040.tif 000015
【図１５】
0005616040.tif 000016
【図１６】
0005616040.tif 000017
【図１７】
0005616040.tif 000018
【図１８】
0005616040.tif 000019